(57)【要約】【課題】原水を蒸発させるのに必要なエネルギーを低減可能な水処理装置を提供すること【解決手段】水処理装置は、原水を加熱するための加熱装置と、加熱装置により加熱された原水を導出するための導出口と、導出口の鉛直方向下方に配置され、鉛直方向に互いに間隔を隔てて層状に配置された複数のトレイと、複数のトレイそれぞれに対して、水平成分を含む送風方向で空気を送風するためのファンと、複数のトレイよりも送風方向下流側に配置された、水蒸気を凝縮させるための熱交換器とを備える。複数のトレイそれぞれは、トレイの上面から下面に亘って貫通形成された、トレイが受水した原水を滴下させるための複数の貫通孔を有しており、複数のトレイにおいて、鉛直方向に関して下方に配置されるトレイほど、単位面積当たりに形成された貫通孔の数が多く密である。【選択図】図１
2016155066.tif 000002
【特許請求の範囲】
【請求項１】
原水を加熱するための加熱装置と、
前記加熱装置により加熱された原水を導出するための導出口と、
前記導出口の鉛直方向下方に配置され、鉛直方向に互いに間隔を隔てて層状に配置された複数のトレイと、
前記複数のトレイそれぞれに対して、水平成分を含む送風方向で空気を送風するためのファンと、
前記複数のトレイよりも前記送風方向下流側に配置された、水蒸気を凝縮させるための熱交換器と
を備え、
前記複数のトレイそれぞれは、前記トレイの上面から下面に亘って貫通形成された、前記トレイが受水した原水を滴下させるための複数の貫通孔を有しており、
前記複数のトレイにおいて、鉛直方向に関して下方に配置されるトレイほど、単位面積当たりに形成された前記貫通孔の数が多く密であることを特徴とする水処理装置。
【請求項２】
前記トレイの数が３以上であることを特徴とする請求項１に記載の水処理装置。
【発明の詳細な説明】
【技術分野】
【０００１】
本発明は、水処理装置に関する。
【背景技術】
【０００２】
海水などの原水を淡水化する水処理装置として、原水を加熱して発生した水蒸気を凝縮することで淡水を得る蒸発法を利用した装置がある。このような蒸発法を利用した水処理装置においては、原水を蒸発させるのに必要なエネルギーの低減化が望まれている。
【先行技術文献】
【特許文献】
【０００３】
【特許文献１】特開２０１２−１９３０４２号公報
【発明の概要】
【発明が解決しようとする課題】
【０００４】
そこで、本発明の一側面に係る目的は、原水を蒸発させるのに必要なエネルギーを低減可能な水処理装置を提供することである。
【課題を解決するための手段】
【０００５】
上記の課題を解決するために、本発明の一実施形態に係る水処理装置は、原水を加熱するための加熱装置と、前記加熱装置により加熱された原水を導出するための導出口と、前記導出口の鉛直方向下方に配置され、鉛直方向に互いに間隔を隔てて層状に配置された複数のトレイと、前記複数のトレイそれぞれに対して、水平成分を含む送風方向で空気を送風するためのファンと、前記複数のトレイよりも前記送風方向下流側に配置された、水蒸気を凝縮させるための熱交換器とを備える。そして、前記複数のトレイそれぞれは、前記トレイの上面から下面に亘って貫通形成された、前記トレイが受水した原水を滴下させるための複数の貫通孔を有しており、前記複数のトレイにおいて、鉛直方向に関して下方に配置されるトレイほど、単位面積当たりに形成された前記貫通孔の数が多く密であることを特徴とする。
【０００６】
上記の構成によれば、鉛直方向に関して下方に配置されるトレイほど、単位面積当たりに形成された貫通孔の数が多く密であるため、導出口から導出される原水を各トレイ上において広範囲に拡げることができる。これにより、ファンにより送風される空気と原水との接触面積を大きくすることができるので、水蒸気を効率よく生成することができ、その結果として、原水を蒸発させるのに必要なエネルギーを低減することが可能となる。
【０００７】
本発明の水処理装置において、前記トレイの数が３以上であってもよい。上記の構成によれば、ファンにより送風される空気と原水との総接触面積が大きくなるので、水蒸気をより効率よく生成することができる。
【発明の効果】
【０００８】
本発明では、原水を蒸発させるのに必要なエネルギーを低減可能な水処理装置を提供することができる。
【図面の簡単な説明】
【０００９】
【図１】本発明の一実施形態に係る水処理装置の全体的な構成を示す斜視図である。
【図２】図１に示す水処理装置の平面図である。
【図３】図１に示す水処理装置の模式的な側面図である。
【図４】図１に示す受水装置の全体的な構成を示す斜視図である。
【図５】第１変形例に係る加熱装置について説明する、水処理装置の模式的な側面図である
【図６】第２変形例に係る加熱装置について説明する、水処理装置の模式的な側面図である
【図７】第３変形例に係る加熱装置について説明する、水処理装置の模式的な側面図である
【発明を実施するための形態】
【００１０】
（水処理装置１００の構成）
本実施形態に係る水処理装置１００は、海水や下水などの原水を蒸発法により淡水化させる装置として構成されている。以下、本実施形態に係る水処理装置１００について、図面を参照しつつ説明する。なお、以下の説明では、処理対象の原水として海水を例にとって説明する。
【００１１】
図１〜図３に示すように、水処理装置１００は、加熱装置１０、容器２０、パイプ１５、受水装置５０、ファン６０、デミスタ７０、熱交換器８０、及び制御装置（不図示）を主に備えている。なお、図１では、説明の便宜上、容器２０の後述の蓋２２は省略している。また、図３では、説明の便宜上、容器２０の内部空間に収容される、受水装置５０、ファン６０、デミスタ７０、及び熱交換器８０の全てを図示している。
【００１２】
加熱装置１０は、原水を加熱するための装置であり、海水タンク１１及びヒータ１２を含む。海水タンク１１には、例えば海から汲み上げられた海水が貯留されている。ヒータ１２は、制御装置による制御の下、海水タンク１１に貯留された海水を所定の温度（例えば、７０〜９０度）まで加熱する。本実施形態では、ヒータ１２は投げ込み式のヒータである。
【００１３】
容器２０は、容器本体２１と蓋２２（図３参照）とを有している。容器本体２１は上端に開口を有するとともに、その内部に、外筒と内筒とによって挟まれる円環形状の内部空間を有している。この内部空間に、受水装置５０、ファン６０、デミスタ７０及び熱交換器８０が収容されている。蓋２２は、容器本体２１に着脱可能に構成されており、容器本体２１の開口を塞ぐ。
【００１４】
パイプ１５は、加熱装置１０の海水タンク１１に接続されており、この海水タンク１１から、容器本体２１の側壁上部に形成された貫通孔（不図示）を通って容器２０の内部空間に至る流路を形成する。詳細には、パイプ１５の一端の開口は導入口１５ａであり、海水タンク１１内において、貯留されている海水の液面下に配置されている。パイプ１５の他端の開口は導出口１５ｂであり、容器２０の内部空間に配置されている。本実施形態では、導出口１５ｂは導入口１５ａよりも鉛直方向上方に配置されている。
【００１５】
図２及び図３に示すように、パイプ１５には、ポンプ１６が設けられている。ポンプ１６は、制御装置による制御の下、海水タンク１１に貯留された海水を導入口１５ａから汲み上げて、パイプ１５内を移送させた後、導出口１５ｂから容器２０の内部空間へと導出する。変形例として、海水タンク１１と容器２０との鉛直方向の位置関係を、導出口１５ｂが導入口１５ａよりも鉛直方向下方となる位置関係にし、海水タンク１１に貯留された海水が自重により導入口１５ａから導出口１５ｂへと移送されるように構成されていてもよい。この場合、パイプ１５に流量を調整可能な弁を設けていてもよい。
【００１６】
図４に示すように、受水装置５０は、容器２０の内部空間において、パイプ１５の導出口１５ｂの鉛直方向下方に配置されており、３つのトレイ５１ａ〜５１ｃ、水受け５５、及び４つの支柱５９を含む。４つの支柱５９は、鉛直方向に延在している。そして、この４つの支柱５９は、鉛直方向に関して上から下に向けて、トレイ５１ａ，５１ｂ，５１ｃ、及び水受け５５の順に配置され、且つ、鉛直方向に互いに所定距離隔てて層状に配置されるように、これらトレイ５１ａ〜５１ｃ及び水受け５５を支持する。以下においては、トレイ５１ａ，５１ｂ，５１ｃにおいて共通する内容を説明するときには、トレイ５１ａ，５１ｂ，５１ｃの添え字「ａ，ｂ，ｃ」を省略して、「トレイ５１」と総称す。
【００１７】
３つのトレイ５１は、互いに同じ形状をなした金属部材であり、その上面は水平面と平行である。また、３つのトレイ５１それぞれは、その上面から下面に亘って貫通形成された、トレイ５１が受水した海水を滴下させるための複数の貫通孔５２を有している。各トレイ５１において、複数の貫通孔５２は規則的に配列されている。なお、本実施形態では、各トレイ５１に形成される貫通孔５２の形状（孔径など）は、全てのトレイ５１において共通であり、各貫通孔５２から滴下される水滴のサイズが受水装置５０にて水蒸気を効率良く生成することが可能なサイズとなるように最適化されている。
【００１８】
また、３つのトレイ５１において、鉛直方向に関して下方に配置されるトレイほど、単位面積当たりに形成された貫通孔５２の数が多く密である。詳細には、３つのトレイ５１ａ〜５１ｃにおいて、鉛直方向に関して最も上方に配置されたトレイ５１ａは、単位面積当たりに形成された貫通孔５２の数が最も少なく疎である。鉛直方向に関して上から２番目に配置されたトレイ５１ｂは、最も上方に配置されたトレイ５１ａよりも単位面積当たりに形成された貫通孔５２の数が多く密であり、最も下方に配置されたトレイ５１ｃよりも単位面積当たりに形成された貫通孔５２の数が少なく疎である。トレイ５１ｃは、このトレイ５１ｃよりも上方に配置された２つのトレイ５１ａ，５１ｂよりも単位面積当たりに形成された貫通孔５２の数が多く密である。
【００１９】
なお、本実施形態では、鉛直方向に関して隣接する２つのトレイ５１において、これらトレイ５１に形成された貫通孔５２それぞれが、鉛直方向からみたときに互いに重ならないように配置されている。これにより、鉛直方向に関して隣接する２つのトレイ５１のうち鉛直方向上方に配置されたトレイ５１の貫通孔５２から滴下された水滴が、鉛直方向下方に配置されたトレイ５１上に衝突する（トレイ５１の貫通孔５２が形成されていない領域に衝突する）可能性を高くすることができる。なお、変形例として、鉛直方向に関して隣接する２つのトレイ５１において、これらトレイ５１に形成された複数の貫通孔５２のうちの一部の貫通孔５２が、鉛直方向からみたときに互いに重なるように配置されていてもよい。
【００２０】
図３に戻って、ファン６０は、制御装置による制御の下、３つのトレイ５１それぞれに対して、水平成分を含む送風方向で空気を送風するための装置である。ファン６０が駆動されると、容器２０の内部空間において、図２中黒矢印で示す方向を送風方向とした空気の循環が生じる。なお、本実施形態では、容器２０の内部空間は円環形状であるため、滑らかな空気の流れを形成しやすく、その結果として、空気の送風に要するエネルギーを低減することが可能である。
【００２１】
デミスタ７０は、受水装置５０よりも送風方向下流側に配置されており、ファン６０により送風される空気に含まれるミスト等を取り除くための装置である。詳細には、デミスタ７０は、支持枠７１と、この支持枠７１に長手方向両端が固定された、鉛直方向に並ぶ複数の板部材７２とを含む。複数の板部材７２それぞれは、その上面及び下面それぞれが、送風方向上流側から送風方向下流側に向かうに従い鉛直方向上方に傾斜するように支持枠７１に固定されている。また、鉛直方向に関して隣接する板部材７２同士の間には、所定の間隙が形成されており、この間隙を介して空気が通過できるように構成されている。
【００２２】
熱交換器８０は、受水装置５０及びデミスタ７０よりも送風方向下流側に配置されている。この熱交換器８０は、水蒸気を凝縮して淡水を得るための装置であり、本実施形態では、熱交換を行うための細管８０ａが蛇行配置されたラジエータである。このラジエータの細管８０ａの一端には供給用パイプ８３が接続され、他端には排出用パイプ８４が接続されている。供給用パイプ８３及び排出用パイプ８４は共に、海水が貯留された海水タンク８１に接続されている。即ち、供給用パイプ８３及び排出用パイプ８４により、熱交換器８０と海水タンク８１との間で海水の循環を行うための循環流路が形成されている。また、供給用パイプ８３には、ポンプ８５が設けられている。ポンプ８５は、制御装置による制御の下で駆動されると、海水タンク８１に貯留された海水を供給用パイプ８３を介して熱交換器８０の細管８０ａに供給するとともに、細管８０ａ内の海水を排出用パイプ８４を介して海水タンク８１に排出する。これにより、熱交換器８０の細管８０ａ内を流れる海水と、熱交換器８０の周囲の空気に含まれる水蒸気との間で熱交換が行われて、水蒸気が凝縮して淡水が生成される。この淡水は、熱交換器８０の鉛直方向下方に配置された淡水タンク８６（図３参照）に滴下して貯留される。
【００２３】
（水処理装置１００の動作）
以下、本実施形態の水処理装置１００の動作について説明する。
まず、ヒータ１２により、海水タンク１１に貯留された海水が所定温度まで加熱される。その後、ポンプ１６が駆動されると、海水タンク１１の海水がパイプ１５の導入口１５ａから汲み上げられて、導出口１５ｂから容器２０の内部空間に導出される。
【００２４】
導出口１５ｂから導出された海水は、鉛直方向下方に落下し、受水装置５０に受水されることで、その一部が水蒸気（飽和水蒸気）となる。以下、詳細に説明する。
【００２５】
まず、導出口１５ｂから導出された海水は、鉛直方向に関して最も上方に配置されたトレイ５１ａに受水される。トレイ５１ａ上に滞留する海水は、ファン６０からの空気の送風により、その一部が自然蒸発して水蒸気となる。ここで、先に触れたようにトレイ５１ａは、３つのトレイ５１のなかで単位面積当たりに形成された貫通孔５２の数が最も少なく疎であるトレイであるため、海水がトレイ５１ａに受水された時点から、トレイ５１ａの貫通孔５２から滴下される時点までの平均時間を長くすることができる。その結果として、トレイ５１ａ上で受水された海水をトレイ５１ａ上で広範囲に拡げることができる。これにより、ファン６０により送風される空気とトレイ５１ａ上の海水との接触面積を大きくすることができるので、水蒸気を効率よく生成することができる。
【００２６】
また、導出口１５ｂから導出された海水は、トレイ５１ａ（又は、トレイ５１ａ上に滞留する海水）との衝突により、その一部が、衝突衝撃によって粉砕されて微小な水滴（ミスト）にミスト化され、受水装置５０の周囲の空間に放散される。この放散された水滴は、ファン６０からの空気の送風により、その一部が自然蒸発して水蒸気となる。
【００２７】
一方、ミスト化されなかったトレイ５１ａ上の海水は、トレイ５１ａの貫通孔５２から滴下して、トレイ５１ａと鉛直方向に関して隣接するトレイ５１ｂ上に受水される。このトレイ５１ｂ上に滞留する海水についても、ファン６０からの空気の送風により、その一部が自然蒸発して水蒸気となる。
【００２８】
ここで、トレイ５１ａ上の海水は、トレイ５１ａ上において広範囲に拡げられた後に複数の貫通孔５２から滴下されるため、トレイ５１ｂ上に海水が受水される時点では既に、トレイ５１ｂ上に広範囲に海水が拡げられた状態となっている。加えて、トレイ５１ｂはトレイ５１ｃよりも単位面積当たりに形成された貫通孔５２の数が少なく疎であるため、トレイ５１ｂ上に受水された海水はトレイ５１ｂ上でさらに広範囲に拡げられる。以上により、ファン６０により送風される空気とトレイ５１ｂ上の海水との接触面積を大きくすることができるので、水蒸気を効率よく生成することができる。
【００２９】
また、トレイ５１ａの貫通孔５２から滴下された海水の水滴は、トレイ５１ｂ（又は、トレイ５１ｂ上に滞留する海水）との衝突により、その一部が、衝突衝撃によって粉砕されて微小な水滴にミスト化され、受水装置５０の周囲の空間に放散される。この放散された水滴は、ファン６０からの空気の送風により、その一部が自然蒸発して水蒸気となる。
【００３０】
ところで、本実施形態と異なり、トレイ５１ａにおいて単位面積当たりに形成された貫通孔５２の数が多く密である場合には、導出口１５ｂから導出されてトレイ５１ａ上に受水された海水は、トレイ５１ａ上で広範囲に拡げられることなく、トレイ５１ａの限られた範囲内に形成された貫通孔５２のみから滴下されることになる。このため、トレイ５１ａの貫通孔５２から滴下された海水の水滴がトレイ５１ｂと衝突することにより生成されるミストの量が少なくなる場合がある。一方で、本実施形態のように、トレイ５１ａにおいて単位面積当たりに形成された貫通孔５２の数が少なく疎である場合には、導出口１５ｂから導出されてトレイ５１ａ上に受水された海水は、トレイ５１ａ上で広範囲に拡げられた後に、トレイ５１ａに形成された多数の貫通孔５２から滴下されることになる。このため、トレイ５１ａの貫通孔５２から滴下された海水の水滴がトレイ５１ｂと衝突することにより生成されるミストの量を多くすることができる場合がある。その結果として、生成される水蒸気の量を多くすることができる場合がある。
【００３１】
加えて、上述したように、鉛直方向に関して隣接する２つのトレイ５１において、これらトレイ５１に形成された貫通孔５２それぞれが、鉛直方向からみたときに互いに重ならないように配置されているため、トレイ５１ａの貫通孔５２から滴下された海水の水滴はトレイ５１ｂ上に衝突する可能性が高い。その結果として、より多くのミストを生成することが可能となる。
【００３２】
一方、ミスト化されなかったトレイ５１ｂ上の海水は、トレイ５１ｂに形成された貫通孔５２から滴下されて、トレイ５１ｂと鉛直方向に関して隣接するトレイ５１ｃ上に受水される。このトレイ５１ｃ上に滞留する海水についても、ファン６０からの空気の送風により、その一部が自然蒸発して水蒸気となる。
【００３３】
また、トレイ５１ｂ上に滞留する海水は、トレイ５１ｂ上において広範囲に拡げられた後に貫通孔５２から滴下されるため、トレイ５１ｃ上に海水が受水された時点で、既にトレイ５１ｃ上に広範囲に海水が拡げられた状態となる。その結果として、ファン６０により送風される空気とトレイ５１ｃ上の海水との接触面積を大きくすることができるので、水蒸気を効率よく生成することができる。
【００３４】
また、トレイ５１ｂの貫通孔５２から滴下された海水の水滴は、トレイ５１ｃ（又は、トレイ５１ｃ上に滞留する海水）との衝突により、その一部が、衝突衝撃によって粉砕されて微小な水滴にミスト化され、受水装置５０の周囲の空間に放散される。この放散された水滴は、ファン６０からの空気の送風により、その一部が自然蒸発して水蒸気となる。
【００３５】
また、トレイ５１ｂ上に受水された海水は、トレイ５１ｂ上で広範囲に拡げられた後に、トレイ５１ｂに形成された多くの貫通孔５２から水滴が滴下されることになる。このため、トレイ５１ｂの貫通孔５２から滴下された海水の水滴がトレイ５１ｃと衝突することにより生成されるミストの量を多くすることができる場合がある。その結果として、生成される水蒸気の量を多くすることができる場合がある。
【００３６】
一方、ミスト化されなかったトレイ５１ｃ上の海水は、トレイ５１ｃに形成された貫通孔５２から滴下されて、水受け５５に受水される。この水受け５５に受水された海水は、図示しない廃水パイプ等により外部に廃水される。なお、トレイ５１ｃの貫通孔５２から滴下された海水の水滴は、水受け５５（又は、水受け５５上に滞留する海水）との衝突により、その一部が、衝突衝撃によって粉砕されて微小な水滴にミスト化され、受水装置５０の周囲の空間に放散される。この放散された水滴についても、ファン６０からの空気の送風により、その一部が自然蒸発して水蒸気となる。
【００３７】
以上のように、本実施形態の受水装置５０では、導出口１５ｂから導出された海水を３つのトレイ５１ａ〜５１ｃに順に受水させるという簡易な構成で、水蒸気を効率よく生成することが可能となる。また、導出口１５ｂから導出される海水は、加熱装置１０により加熱されているため気化効率を向上させることができ、その結果として、生成される水蒸気の量を多くすることが可能となる。
【００３８】
以上のようにして受水装置５０の周囲で生成された水蒸気は、ファン６０によって生成された空気の流れにより、デミスタ７０を通過して熱交換器８０へと運ばれる。このとき、空気に含まれるミストは、デミスタ７０の板部材７２により捕捉されるため、熱交換器８０への進入が阻止される。なお、加熱装置１０が生成する熱などを利用してデミスタ７０を加熱することによって、デミスタ７０の板部材７２により捕捉されたミストを蒸発させて水蒸気を生成するように構成されていてもよい。
【００３９】
熱交換器８０に運ばれた水蒸気を含む空気は、熱交換器８０の細管８０ａ内を流れる海水の持つ冷熱で冷却され、その結果、飽和濃度を超える水分が凝縮して液化する。このようにして生成された淡水は、鉛直下方向に落下し、最終的に淡水タンク８６に貯留される。
【００４０】
以上、本実施形態によると、鉛直方向に関して下方に配置されるトレイ５１ほど、単位面積当たりに形成された貫通孔５２の数が多く密であるため、導出口１５ｂから導出される海水を各トレイ５１上において広範囲に拡げることができる。これにより、ファン６０により送風される空気と海水との接触面積を大きくすることができるので、水蒸気を効率よく生成することができ、その結果として、海水を蒸発させるのに必要なエネルギーを低減することが可能となり、低エネルギーで原水から淡水を生成することができる。
【００４１】
また、受水装置５０のトレイ５１の数が３つであるため、トレイ５１の数が１つや２つである場合と比べて、ファン６０により送風される空気と原水との総接触面積を大きくすることができるので、水蒸気をより効率よく生成することができる。
【００４２】
（本実施形態の変形例）
以上、本発明の一実施形態について説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４３】
例えば、上述の実施形態における加熱装置１０では、海水タンク１１に貯留されている海水を、投げ込み式のヒータ１２のみにより内部から加熱していたが、特にこれに限定されるものではない。以下、加熱装置の変形例について説明する。
【００４４】
第１変形例に係る加熱装置１１０では、図５に示すように、ヒータ１２に加えて、熱交換器９１、太陽光温水器９２、並びに、これらを接続する供給用パイプ９３及び排出用パイプ９４をさらに備えている。太陽光温水器９２は、集熱器とタンクとが一体となったものであり、太陽の熱でタンク内の海水等の媒体を温める機器である。太陽光温水器９２にて温められた媒体は、供給用パイプ９３を介して海水タンク１１内に設置された熱交換器９１に移送される。そして、熱交換器９１にて、この温められた媒体と、海水タンク１１に貯留された海水との間で熱交換されることで、海水タンク１１に貯留された海水の温度を上昇させることが可能となる。熱交換器９１にて海水タンク１１に貯留された海水との間で熱交換が行われた媒体は、その後、排出用パイプ９４を介して太陽光温水器９２に排出され、太陽光温水器９２にて再度温められることになる。以上のように、太陽光温水器９２と熱交換器９１との間で媒体を循環させることで、ヒータ１２に加えて、太陽光による自然エネルギーも利用して海水タンク１１に貯留された海水を加熱することが可能となる。
【００４５】
次に、第２変形例に係る加熱装置１２０について、図６を参照しつつ説明する。ところで、熱交換器８０の細管８０ａを流れる海水は、ファン６０により熱交換器８０に運ばれる空気に含まれる水蒸気の凝縮潜熱を受け取る（水蒸気と熱交換する）ことで次第に加熱され、排出用パイプ８４に排出される際にはその温度が上昇している。そこで、第２変形例に係る加熱装置１２０では、図６に示すように、熱交換器８０において水蒸気との熱交換により温度が上昇した海水を有効活用すべく、排出用パイプ８４の排出口を海水タンク１１内に接続して、この温度が上昇した海水が海水タンク１１内に流入するように構成されている。これにより、海水タンク１１において貯溜されている海水の温度を低エネルギーで上昇させることができる。なお、第２変形例に係る加熱装置１２０でも、第１変形例に係る加熱装置１１０と同様に、太陽光温水器９２と熱交換器９１との間で媒体を循環させることで、太陽光による自然エネルギーも利用して海水タンク１１に貯留された海水を加熱することが可能に構成されている。
【００４６】
第３変形例に係る加熱装置１３０の構成は、図７に示すように、第２変形例に係る加熱装置１２０の構成から熱交換器９１を省略した構成である。この加熱装置１３０では、太陽光温水器９２にて、海水タンク１１に貯留されている海水を媒体として、太陽光温水器９２と海水タンク１１との間で海水を循環させる構成にされている。この第３変形例に係る加熱装置１３０でも、ヒータ１２に加えて、太陽光による自然エネルギーも利用して海水タンク１１に貯留された海水を直接加熱することが可能である。
【００４７】
以上、加熱装置の変形例について説明した。なお、加熱装置は上述の変形例のみに限らず、海水タンク１１の外壁をヒータで囲み、このヒータにより外部から海水タンク１１内の海水を加熱してもよく、また、マイクロ波や超音波により加熱してもよい。また、上述の実施形態では、導出口１５ｂから導出させる海水を貯留する海水タンク１１と、熱交換器８０に移送する海水を貯留する海水タンク８１とは別々に設けられていたが、共通のタンクから導出口１５ｂ及び熱交換器８０それぞれに海水が移送されるように構成されていてもよい。
【００４８】
また、上述の実施形態では、導出口１５ｂから自然落下により海水がトレイ５１ａに受水する構成とされていたが、加圧手段等により導出口１５ｂからトレイ５１ａに対して海水を噴射させてもよい。
【００４９】
また、受水装置５０のトレイ５１の数についても上述の実施形態に限定されるものではなく、例えば、トレイ５１の数は２つでもよく、また４つ以上でもよい。このとき、導出口１５ｂから導出される海水の流量や温度に基づいて、受水装置５０のトレイ５１数を最適化してもよい。
【００５０】
加えて、上述の実施形態では、各トレイ５１は互いに同じ形状をしていたが、特にこれに限定されるものではなく、互いに異なる形状をしていてもよい。例えば、トレイ５１のサイズ（上面の面積）が、鉛直方向下方に配置されたトレイ５１ほど大きくなるように構成されていてもよい。
【００５１】
また、上述の実施形態では、各トレイ５１の上面は水平面と平行であったが、水平面に対して若干交差していてもよい。例えば、各トレイ５１の上面が、送風方向上流側から送風方向下流側に向かうに従い鉛直方向上方に傾斜するように構成されていてもよい。
【符号の説明】
【００５２】
１０  加熱装置
１５ｂ  導出口
５１（５１ａ〜５１ｃ）  トレイ
５２  貫通孔
６０  ファン
８０  熱交換器
１００  水処理装置
【図１】
2016155066.tif 000003
【図２】
2016155066.tif 000004
【図３】
2016155066.tif 000005
【図４】
2016155066.tif 000006
【図５】
2016155066.tif 000007
【図６】
2016155066.tif 000008
【図７】
2016155066.tif 000009